(57)【要約】  伸縮可能な化粧用塗布具を提供する。内面に突起（２２）が設けられた外筒（２０）と、外面に前記突起（２２）が嵌通するガイド溝（７６）が設けられた内筒（６０）とを有する二重構造の軸（１６）を備え、ガイド溝（７６）は、円周方向にのびる二本の横溝（６６、７０）と、前記二本の横溝を結ぶ軸方向へのびる縦溝（６８）を有し、突起（２２）がガイド溝（７６）を伝うことで、軸（１６）の伸縮が可能な化粧用塗布具（２）を提供する。またさらにガイド溝（７６）は、前記縦溝（６８）とは周方向にずれた位置に設けられた、前記二本の横溝（６６、７０）の内の塗布部（８）のある先端に近い横溝（６６）から軸方向に先端までのびる第２の横溝（６４）も有し、塗布部（８）を有する外筒（２０）は着脱も容易である。
2019038799.tif 000002
【特許請求の範囲】
【請求項１】
内面に突起が設けられた外筒と、
外面に前記突起が嵌通するガイド溝が設けられた内筒と、
を有する二重構造の軸を備え、
前記ガイド溝は、円周方向にのびる二本の横溝と、前記二本の横溝を結ぶ軸方向へのびる縦溝を有する、
ことを特徴とする化粧用塗布具。
【請求項２】
前記ガイド溝は、前記縦溝とは周方向にずれた位置に設けられた第２の縦溝を有し、
前記第２の縦溝は、前記二本の横溝の内の塗布部のある先端に近い横溝から軸方向に先端までのびる、
ことを特徴とする請求項１に記載の化粧用塗布具。
【請求項３】
前記二本の横溝は、前記外筒を保持する保持手段を有する、
ことを特徴とする請求項１又は請求項２に記載の化粧用塗布具。
【請求項４】
前記突起の形状は半円柱形状である、
ことを特徴とする請求項１〜３のいずれかに記載の化粧用塗布具。
【発明の詳細な説明】
【技術分野】
【０００１】
軸が伸縮可能な化粧用塗布具に関する。
【背景技術】
【０００２】
従来、アイシャドウ、マスカラ、マニキュア等の化粧料を塗布する塗布具には、有底筒体の容器のキャップとして容器と一体化して備えられるタイプがある。このタイプの塗布具は、キャップを閉めた状態で容器に一端が挿入され、キャップを取り外した状態でキャップは塗布具の把持部として使用される。先端にある塗布部は、変形を防ぐためキャップを閉めた状態では容器の底面より上となることが多く、化粧料を最後まで使い切ることが難しい。化粧料を使い切るため、塗布具の軸が伸縮できるようにしたものが提案されている（特許文献１参照）。軸が伸縮することで、塗心地の向上もみこめ、使い勝手の向上にもつながる。
【先行技術文献】
【特許文献】
【０００３】
【特許文献１】特開２０１３−１３８７６０号
【発明の概要】
【発明が解決しようとする課題】
【０００４】
しかし、特許文献１を始めとする軸が伸縮する塗布具は、多くが螺合タイプであり、軸を伸ばすためにはキャップ等を回転させる必要がある。軸を所望の長さに伸ばせる利点はあるが、通常軸を伸ばして使用する場合には、使いやすいよう最長の長さまで伸ばして使用することが多く、使用のために伸ばす際にも塗布後に容器に収納するために縮める際にも、螺合されたキャップ等を回転させなければならず手間である。【０００５】
本発明の目的は、軸を容易に伸縮させることができる化粧用塗布具を提供することにある。
【課題を解決するための手段】
【０００６】
上記目的を達成するため、本開示の化粧用塗布具は、内面に突起が設けられた外筒と、外面に前記突起が嵌通するガイド溝が設けられた内筒とを有する二重構造の軸を備え、ガイド溝は、円周方向にのびる二本の横溝と、前記二本の横溝を結ぶ軸方向へのびる縦溝を有し、軸の伸縮が可能であるよう構成した。【０００７】
好ましくは、ガイド溝は、前記縦溝とは周方向にずれた位置に設けられた第２の縦溝を有し、第２の縦溝は、二本の横溝の内の塗布部のある先端に近い横溝から軸方向に先端までのびるものとする。【０００８】
好ましくは、二本の横溝は内筒を着脱可能に保持する保持手段が備えられているものとする。【０００９】
さらに好ましくは、突起の形状は半円柱形状であるものとする。
【発明の効果】
【００１０】
軸を容易に伸縮させることができる化粧用塗布具を提供できる。
【図面の簡単な説明】
【００１１】
【図１】本発明の実施形態に係る化粧料容器の、キャップを外した状態での斜視図である。
【図２】本発明の実施形態に係る化粧料容器の、分解した状態での正面縦断面図である。
【図３】本発明の実施形態に係る化粧料容器の基軸本体であり、（ａ）正面図、（ｂ）基軸部の拡大斜視図である。
【図４】本発明の実施形態に係る軸体の斜視図である。
【図５】本発明の実施形態に係るガイド溝の変形例である。
【発明を実施するための形態】
【００１２】
（実施形態の構成）
以下、本発明に係る化粧用塗布具の好ましい実施形態を、図に従って説明する。図１、図２に示すように、化粧料容器１は、アイシャドウ等の粉末の化粧料８０を収容する容器本体３０、容器本体３０に螺合して一体化するジョイント４０、ジョイント４０に着脱可能に嵌合する塗布具本体２を備える。塗布具本体２は、把持部としてのキャップ４、キャップ４に垂設された軸部１６、及び化粧料８０の塗布に使用する塗布体８を有する。
【００１３】
容器本体３０は有底の円筒であり、上端部が縮径されており、かかる容器縮径部３２の上端に容器開口部３４を有する。容器縮径部３２の外周面には雄ネジ３６が設けられている。容器本体３０の材質は特に限定はされないが、プラスチップやガラスなど、透明又は半透明であれば収容されている化粧料８０の色、残量、状態等を確認でき好ましい。
【００１４】
塗布具本体２は、キャップ４、キャップ４に一体化し容器本体３０に延出する基軸本体６、基軸本体６に嵌合して基軸本体６外周に備えられる軸体２０、及び軸体２０の先端に備えられる塗布体８から構成される。
【００１５】
キャップ４の下部内面には、ジョイント４０との嵌合に使用されるキャップ突起１４が円周方向に複数個設けられている。ジョイント４０の筒体４２の外周面に円環状に突設された円環凸部４６をこのキャップ突起１４が乗り越えることで、塗布具本体２はジョイント４０に着脱される。基軸本体６上部の拡径された基端部１０はリブ６２を有し、ここにキャップ４が冠着し一体化している。キャップ４は、化粧料８０を塗布の際に使用者が把持する把持部となる。
【００１６】
基軸本体６は中空であり、軸１６を構成する基軸部６０は円筒状で、基軸部６０より長く一回り大きい筒状の軸体２０と嵌合して全体を軸体２０に覆われている。軸体２０の先端開口部１２には、塗布体８が嵌まり固着されている。
【００１７】
塗布体８は、弾丸形状の先端の一部が斜めに切り取られた形状を有する。平面部分と曲面部分、細い部分と太い部分を合わせ持ち、一本で細かい塗り分けが可能である。塗布体８はこの形状に限られず、弾丸形状、球形状、円錐台形状、円柱形状等、先端開口部１２に固着され底面孔５２に嵌合する形状であれば良い。塗布体８の材質は、ＮＢＲ、ウレタン、シリコン等の柔らかい材質が好ましく、スポンジ等それらを発泡させた材質、ルビーセル等の連続気孔体、筆、などでも良い。
【００１８】
ジョイント４０は、上面が開口し、内面が上方に向かって太く拡径し、中心に底面孔５２が設けられた底面５０を有する筒体４２を有する。筒体４２の外側円周には、筒体４２よりも径の大きな筒状のカバー部４４が設けられている。カバー部４４の下部内周面には、雌ネジ４８が設けられており、容器本体３０の雄ネジ３６と螺合可能となっている。ジョイント４０の雌ネジ４８と容器本体３０の雄ネジ３６が螺合した状態で、容器開口部３４に筒体４２は入り込み、化粧料８０の出入り口は底面孔５２となる。塗布体８は一番太い部分の径が底面孔５２よりも一回り大きく、キャップ４が取着された状態でジョイント４０の底面孔５２に嵌合するよう軸部１６の長さは調整されている。筒体４２の内面は軸体２０よりも太く、ジョイント４０の上方開口部５６にキャップ４が取着された状態で、軸体２０は筒体４２に入り込み、塗布体８が底面孔５２に嵌る。塗布体８が隙間なく底面孔５２を塞ぎ、塗布体８は底面孔５２の栓の役割を果たし、化粧料８０の飛散を防ぐ。塗布体８の先端は充填された化粧料８０の上面よりも上方となるよう配置される。
【００１９】
（伸縮構造）
塗布具本体２の軸部１６は伸縮可能であり、その構造について説明する。図３に示すように、基軸本体６の基軸部６０の表面には、ガイド溝７６が設けられている。このガイド溝７６は、基軸部６０の先端から基軸部６０の軸方向（長手方向）に沿って基軸部６０中ほどまで設けられた第１縦溝６４、第１縦溝６４の端部から右に折れて円周方向に全周の１／３程の長さで設けられた第１横溝６６、第１横溝６６の中央付近より第１縦溝６４とは逆側に、基端部１０まで軸方向に設けられた第２縦溝６８、第２縦溝６８の端点から第１横溝６６と同じ円周方向である右に折れて全周の１／３程の長さで設けられた第２横溝７０から構成される。これらの溝は、それぞれ１８０度回転した位置にも、もう１セット設けられている。
【００２０】
図４に示すように、軸体２０の上部内面には、ガイド溝７６に嵌合し、ガイド溝７６に沿わせ移動させるための軸体突起２２が設けられている。軸体突起２２は半円柱形状で、その長手方向（軸方向）は軸体２０の軸方向と平行で、円周方向に向き合うように二つ設けられている。ガイド溝７６の形状は軸体突起２２の半円柱形状に合わせてあり、第１縦溝６４及び第２縦溝６８は断面形状が半円形状に、第１横溝６６及び第２横溝７０は、端部は角が丸くなっている。
【００２１】
軸体２０を基軸部６０に組み付けの際は、軸体突起２２を第１縦溝６４の先端に合わせ、ガイド溝７６に沿って滑らせ嵌合させる。軸体２０が嵌合し易いよう、基軸部６０の先端部分には軸体２０の内径よりも径が小さい円柱部７４が設けられている。また軸体突起２２の外面部分には小さく軸体溝２４が目印として設けられており、円周方向を合わせ易くなっている。第２横溝７０の端部（行き止まり）近くには、盛り上がった山部７２が設けられており、軸体突起２２はクリック感をもって第２横溝７０の端部に嵌合し、軸体２０は基軸部６０に保持される。軸体２０は通常この位置に保持され使用される。
【００２２】
使用者が軸部１６を伸ばして使用したい場合には、ガイド溝７６に沿って軸体２０を移動させ、第１横溝６６の端部で保持する。第１横溝６６の端部は少し細くなっており、端部の高さＬ２（図３参照）は、軸体突起２２の高さＬ１（図２参照）より僅かに小さいため、軸体２０は軸体突起２２の上下面の摩擦により固持される。基軸部６０と軸体２０の二重構造からなる軸部１６は、このガイド溝７６と軸体突起２２により、伸縮を可能にしている。
【００２３】
（作用効果）
化粧料８０を肌等に塗布の際は、化粧料容器１の上下を逆にするようにして数度振ることで、塗布体８に化粧料８０を付着させ、キャップ４を把持してジョイント４０から引抜き使用する。化粧料８０の残量が少ない場合には、ジョイント４０を外し、軸部１６を伸ばして塗布体８に化粧料８０を塗布させることで、最後まで化粧料８０を使い切ることができる。塗布体８に自分の好みの分量や位置で化粧料８０を付着させたい場合や、使用感や使い勝手をアップさせたい場合などにも、好みに応じて軸部１６を伸ばして使用することができる。ガイド溝７６に沿って軸体２０を移動させるだけで軸１６を延長でき、螺合タイプのように回転させる手間がなく、延長も収縮も容易で、伸ばした／縮めた位置で軸体２０を固持できる。
【００２４】
第１縦溝６４と第２縦溝６８が同一線上になく、互いが周方向にずれた位置に設けられているため、軸体２０を引き出しそのまま外れてしまうのを防ぐことができる。
【００２５】
また軸が伸縮する塗布具でも、組み付けが複雑であるタイプや、一度組み付けると取り外しは困難であるタイプとは異なり、伸縮するための構造がシンプルで、部品点数も少なく、組み付けしやすく、取り外しも容易である。軸体２０はガイド溝７６に沿って動かすだけで取り外し出来るため、形状の異なる塗布体８を有する他の軸体２０を容易に付け替えて使用することができ、化粧料８０を好みの塗布体８で塗布することが可能である。また、塗布体８が変形や固化した場合に、軸体２０ごと新品に取り換えることも容易である。先端の塗布体８だけの交換では、使用の際に塗布体８が外れる心配もあるが、塗布体８が固着された軸体２０ごと交換するため、塗布体８の脱落の懸念もない。
【００２６】
また、ガイド溝７６が軸体突起２２を着脱可能に固持できるよう、第１横溝６６の端部は狭くなっており、第２横溝７０は山部７２を有している。塗布体８を先端に有する軸体２０を基軸部６０に固持できるようにすることで、使用する際に軸部１６が勝手に動いてしまって化粧料８０を思わぬところへ塗布することを防いでいる。両方の横溝（６６、７０）が軸体２０を保持する手段を持つ事で、軸を伸ばした際も、軸を縮めた際も、軸体２０が動いてしまうのを防ぐことができる。
【００２７】
軸体突起２２は半円柱形状であり、軸体２０を基軸部６０に嵌めやすくかつ固持し易くしている。突起の形状が直方体形状ならば角を二点合わせなければならないところ、半円の頂点一点のみで合わせることができるため嵌めやすい。また軸体２０の軸体突起２２を横溝に固持する際には、上面と下面の平面部分が使用されるため固く固持できる。特に第１横溝６６の端部に軸体突起２２を嵌めて保持する際に、軸体突起２２の形状が球形等では保持が緩くなる懸念があるが、この形状であれば上面と下面の二面を使用されるため、摩擦が大きく、強固に固持できる。
【００２８】
軸部１６は外筒内筒の二つの筒を用いた二重構造であり、外筒である軸体２０の先端に塗布体８を有する。延長される軸体２０が塗布体８を有する内筒である場合、軸体２０が引き出されて使用され、また再び戻す際に、化粧料８０が外筒の内側に入りこみ周囲や手が汚れる恐れがあるが、逆の構成よりその心配が少ない。
【００２９】
（変形例）
図５は、ガイド溝７６の変形例である。ガイド溝７６ａは、第１横溝６６が第２横溝７０とは逆の方向（左方向）に曲がって伸びている点が、ガイド溝７６とは異なる。ガイド溝７６は、第１横溝６６及び第２横溝７０の軸体突起２２が保持される端点（行き止まり）の方向が同じであったため、軸部１６を伸ばす場合でも軸体２０を取り外す場合でも、軸体２０を右に回すと固持され、左に回すと外れ、使用者が理解しやすい。ガイド溝７６ａが設けられた軸部１６は、第２横溝７０の通常の保持位置から軸体２０を引きながら左に軽く捻るだけで延長でき、押しながら右に捻ることで元の位置に戻すことができるため、伸縮が容易である。取り外すには一度左に回した後に逆方向に回す必要があり、外しにくい。伸縮を頻繁に行う塗布具に好適である。ガイド溝７６ｂはガイド溝７６と、ガイド溝７６ｃはガイド溝７６ａと、それぞれ左右対称の形状であり、軸体２０を逆ネジ方向（右方向）へ回して外すことになるので、右利きの使用者は軸体２０を外しにくく、左利きの使用者は外しやすい。それぞれ目的に応じて使用可能である。
【００３０】
本実施形態では、化粧料８０に粉末化粧料を使用したが、マニキュアやマスカラなどの液体化粧料や、固形化粧料への使用も可能である。本実施形態はジョイント４０を備えているが、ジョイント４０の無い、直接容器本体３０に塗布具本体２が着脱される構成でも良い。伸縮、着脱機能のある塗布具単体としても良い。
【００３１】
軸体突起２２は、第１横溝６６の端部では摩擦で保持されるが、第２横溝７０と同様、山部７２を設けて保持されるようにしてもよい。また保持可能な他の構造でも良い。
【００３２】
また、ガイド溝７６の横溝の数を増やし、何段階かで伸縮できるようにすることも好ましい。第１横溝６６は基軸部６０の中ほどに設けられていたが、先端近くに設け伸縮長を長くしても良い。
【符号の説明】
【００３３】
１  化粧料容器
２  塗布具本体
４  キャップ
６  基軸本体
８  塗布体
１０  基端部
１２  先端開口部
１４  キャップ突起
１６  軸部
２０  軸体
２２  軸体突起
２４  軸体溝
３０  容器本体
３２  容器縮径部
３４  容器開口部
３６  雄ネジ
４０  ジョイント
４２  筒体
４４  カバー部
４６  環状凸部
４８  雌ネジ
５０  底面
５２  底面孔
５６  上方開口部
６０  基軸部
６２  リブ
６４  第１縦溝
６６  第１横溝
６８  第２縦溝
７０  第２横溝
７２  山部
７４  円柱部
７６、７６ａ、７６ｂ、７６ｃ  ガイド溝
８０  化粧料
【図１】
2019038799.tif 000003
【図２】
2019038799.tif 000004
【図３】
2019038799.tif 000005
【図４】
2019038799.tif 000006
【図５】
2019038799.tif 000007
【国際調査報告】
2019038799.tif 000008
2019038799.tif 000009
2019038799.tif 000010
2019038799.tif 000011